(57)【特許請求の範囲】
【請求項１】
触媒粒子と液体炭化水素とを含むスラリーを内部に保持し、前記スラリーの上部に気相部を有する気泡塔型スラリー床反応器を用いて、フィッシャー・トロプシュ合成反応により炭化水素を合成する合成工程と、
前記反応器の内部および／または外部に配置されたフィルターに前記スラリーを流通させて触媒粒子と重質液体炭化水素とを分離し、重質液体炭化水素を抜き出す抜き出し工程と、
前記フィルターに前記スラリーの流通方向と逆方向に液体炭化水素を流通させ、前記フィルターに堆積した触媒粒子を前記反応器内のスラリー床中に戻す逆洗工程と、
前記反応器の気相部から排出される該反応器内の条件において気体状である炭化水素を冷却し、凝縮した軽質液体炭化水素を気体成分から分離して回収する冷却・気液分離工程と、
を備える炭化水素の製造方法であって、
前記逆洗工程において流通させる液体炭化水素が、前記冷却・気液分離工程で得られる軽質液体炭化水素と、前記抜き出し工程で抜き出された重質液体炭化水素との混合物であり、
前記軽質液体炭化水素が、前記冷却・気液分離工程において、前記反応器内の条件において気体状である炭化水素を、１８０℃以上且つ前記反応器内の温度よりも低い温度に冷却することにより凝縮する軽質液体炭化水素であることを特徴とする炭化水素の製造方法。
【請求項２】
前記軽質液体炭化水素を更に冷却する再冷却工程を備え、該工程を経た軽質液体炭化水素を前記逆洗工程に供することを特徴とする請求項１に記載の炭化水素の製造方法。
【請求項３】
前記混合物中の重質液体炭化水素は、前記抜き出し工程で抜き出された重質液体炭化水素が含有する触媒粒子の少なくとも一部が、更に除去されたものであることを特徴とする請求項１または２に記載の炭化水素の製造方法。
【発明の詳細な説明】
【技術分野】
【０００１】
本発明は、気泡塔型スラリー床反応器を用いたフィッシャー・トロプシュ合成反応による、炭化水素の製造方法に関する。
【背景技術】
【０００２】
灯油・軽油等の液体燃料製品の原料として利用される、幅広い炭素数分布を有する炭化水素を製造する方法として、一酸化炭素ガス（ＣＯ）及び水素ガス（Ｈ２）を原料としてフィッシャー・トロプシュ合成反応（以下、「ＦＴ合成反応」ということもある。）を利用する方法が知られている。そして、天然ガス等を原料として、改質反応により合成ガス（ＣＯおよびＨ２を主成分とする混合ガス）を製造し、合成ガスからＦＴ合成反応により炭化水素を合成し、この炭化水素を水素化処理および分留することにより液体燃料を製造する技術は、ＧＴＬ（Gas To Liquids）プロセスと呼ばれている。
ＦＴ合成反応により炭化水素を製造する方法としては、例えば特許文献１に、液体炭化水素中に固体の触媒粒子を懸濁させたスラリー（以下、単に「スラリー」ということもある。）中に合成ガスを吹き込んでＦＴ合成反応させる、気泡塔型スラリー床反応器を用いる方法が開示されている。
【０００３】
この方法では、スラリーを保持してＦＴ合成反応を行う反応器（気泡塔型スラリー床反応器）と、合成ガスを反応器の底部に吹き込む導管（ガス供給部）と、反応器内のスラリーから触媒粒子を分離するフィルターと、反応器内で合成され前記フィルターを通過した液体炭化水素（重質液体炭化水素）を抜き出す導管と、この導管を介して抜き出された液体炭化水素の一部を前記反応器内に返送し、前記フィルターを洗浄する機構と、を備えた反応システムにより、炭化水素を製造するようにしている。
【０００４】
また、前記フィルターを洗浄する機構、すなわち、フィルターにより捕捉され、フィルター上に堆積した触媒粒子を再度スラリー中に戻すための機構として、フィルターにより濾過され、導管を介して抜き出された液体炭化水素（重質液体炭化水素）の一部を、前記フィルターに対し、スラリーを濾過する際の流通方向とは逆の方向に流通させる逆洗処理が採用されている。
【０００５】
一方、前記反応器内のスラリーの上部には気相部が設けられ、スラリー中を通過する間に反応しなかった合成ガス（未反応の合成ガス）、およびＦＴ合成反応により生成し、反応器内の条件にて気体である軽質炭化水素は、スラリー床から前記気相部に移行し、更に前記気相部を通過し、反応器上部に接続された導管から排出される。排出された未反応の合成ガスおよび軽質の炭化水素は冷却されて、軽質炭化水素の一部は凝縮して液体の炭化水素（軽質液体炭化水素）となり、この軽質液体炭化水素はガス分（未反応の合成ガスおよび主としてＣ４以下の炭化水素ガス）と気液分離される。そして前記ガス分は前記反応器にリサイクルされて未反応の合成ガスが再利用され、一方、軽質液体炭化水素は液体炭化水素の精製工程に供給される。
【先行技術文献】
【特許文献】
【０００６】
【特許文献１】特表２００７−５１６０６５号公報
【発明の概要】
【発明が解決しようとする課題】
【０００７】
ところで、前記特許文献１に開示された技術における前記フィルターの逆洗処理においては、スラリーの濾過時にフィルターを通過した液体炭化水素（重質液体炭化水素）の一部が、該フィルターをスラリーの濾過時の流通方向とは逆の方向に通過し、再度反応器内に返送され、その後スラリーとなってフィルターを再度通過して抜き出される過程を繰り返す。すなわち、重質液体炭化水素の一部は、反応器の内外を往復することで、フィルターを繰り返し通過することになる。したがって、スラリーの濾過時には、ＦＴ合成反応器から抜き出され、後段の液体炭化水素の精製工程に単位時間当たり供給される重質炭化水素の量に比較して、多量の重質液体炭化水素が単位時間当たりにフィルターを通過することとなる。
【０００８】
このような運転においては、フィルターが多量のスラリーを濾過する必要があり、すなわちフィルターの負荷が大きくなり、また、これに伴って逆洗処理の負担も大きくなる。この場合、必要となるフィルターの負荷を賄うためには、フィルターの濾過面積を大きくする必要があり、設備の大型化に伴う設備コストの上昇、およびそれに伴うメンテナンス・コストの上昇の問題があった。
【０００９】
本発明は前記事情に鑑みてなされたもので、フィルターを往復して繰り返し通過する液体炭化水素の量を少なくしてフィルターの負荷を減少させた、炭化水素の製造方法を提供することを目的とする。
【課題を解決するための手段】
【００１０】
本発明の炭化水素の製造方法は、触媒粒子と液体炭化水素とを含むスラリーを内部に保持し、前記スラリーの上部に気相部を有する気泡塔型スラリー床反応器を用いて、フィッシャー・トロプシュ合成反応により炭化水素を合成する合成工程と、前記反応器の内部および／または外部に配置されたフィルターに前記スラリーを流通させて触媒粒子と重質液体炭化水素とを分離し、重質液体炭化水素を抜き出す抜き出し工程と、前記フィルターに前記スラリーの流通方向と逆方向に液体炭化水素を流通させ、前記フィルターに堆積した触媒粒子を前記反応器内のスラリー床中に戻す逆洗工程と、前記反応器の気相部から排出される該反応器内の条件において気体状である炭化水素を冷却し、凝縮した軽質液体炭化水素を気体成分から分離して回収する冷却・気液分離工程と、を備える炭化水素の製造方法であって、前記逆洗工程において流通させる液体炭化水素が、前記冷却・気液分離工程で得られる軽質液体炭化水素を含むことを特徴とする。
【００１１】
また、前記炭化水素の製造方法においては、前記軽質液体炭化水素が、前記冷却・気液分離工程において、前記反応器内の条件において気体状である炭化水素を、１８０℃以上且つ前記反応器内の温度よりも低い温度に冷却することにより凝縮する軽質液体炭化水素であることが好ましい。
【００１２】
また、前記炭化水素の製造方法においては、前記軽質液体炭化水素を更に冷却する再冷却工程を備え、該工程を経た軽質液体炭化水素を前記逆洗工程に供することが好ましい。
【００１３】
また、前記炭化水素の製造方法においては、前記逆洗工程において流通させる液体炭化水素が、前記軽質液体炭化水素と、前記抜き出し工程で抜き出された重質液体炭化水素との混合物であることが好ましい。
【００１４】
また、前記炭化水素の製造方法においては、前記混合物中の重質液体炭化水素は、前記抜き出し工程で抜き出された重質液体炭化水素が含有する触媒粒子の少なくとも一部が、更に除去されたものであることが好ましい。
【発明の効果】
【００１５】
本発明の炭化水素の製造方法によれば、逆洗工程においてフィルターに流通させる液体炭化水素として、反応器の気相部から排出される該反応器内の条件において気体状である炭化水素を冷却し、凝縮した軽質液体炭化水素を用いているので、スラリーの濾過時にフィルターを往復して繰り返し通過する液体炭化水素（重質液体炭化水素）の量を低減できる。すなわち、逆洗工程で反応器内に返送された軽質炭化水素は、反応器内で気化して反応器の気相部から抜き出されるため、スラリーの一部となってフィルターを通過することはない。よって、スラリーの濾過時にフィルターを単位時間当たりに通過する液体炭化水素の量が低減されてフィルターの負荷を軽減することができる。これによってフィルターの濾過面積を低減することが可能となり、製造設備の小型化や簡易化、およびこれに伴うメンテナンスの軽減を図ることができる。
【図面の簡単な説明】
【００１６】
【図１】本発明に係る液体燃料合成システムの一例の全体構成を示す概略図である。
【図２】本発明に係るＦＴ合成ユニットの概略構成図である。
【図３】（ａ）はフィルターの概略構成説明図、（ｂ）はフィルターエレメントの概略構成説明図である。
【図４】本発明に係るＦＴ合成ユニットの変形例の概略構成図である。
【発明を実施するための形態】
【００１７】
以下、本発明の炭化水素の製造方法を詳しく説明する。
まず、本発明の炭化水素の製造方法を実施するのに好適な、合成反応システムの一例について、図１を参照して説明する。
図１に示す液体燃料合成システム１は、天然ガス等の炭化水素原料を液体燃料に転換するＧＴＬプロセスを実行するプラント設備である。
この液体燃料合成システム１は、合成ガス製造ユニット３と、ＦＴ合成ユニット５と、アップグレーディングユニット７とから構成されている。合成ガス製造ユニット３は、炭化水素原料である天然ガスを改質して一酸化炭素ガスと水素ガスを含む合成ガスを製造する。ＦＴ合成ユニット５は、合成ガス製造ユニット３において製造された合成ガスからＦＴ合成反応により液体炭化水素を合成する。アップグレーディングユニット７は、ＦＴ合成反応により合成された液体炭化水素を水素化・精製して液体燃料（主として灯油、軽油）の基材を製造する。
以下、これら各ユニットの構成要素について説明する。
【００１８】
合成ガス製造ユニット３は、例えば、脱硫反応器１０と、改質器１２と、排熱ボイラー１４と、気液分離器１６，１８と、脱炭酸装置２０と、水素分離装置２６とを主に備える。脱硫反応器１０は、水素化脱硫装置等で構成され、原料である天然ガスから硫黄化合物を除去する。改質器１２は、脱硫反応器１０から供給された天然ガスを改質して、一酸化炭素ガス（ＣＯ）と水素ガス（Ｈ２）とを主成分として含む合成ガスを生成する。排熱ボイラー１４は、改質器１２にて生成した合成ガスの排熱を回収して高圧スチームを発生する。
【００１９】
気液分離器１６は、排熱ボイラー１４において合成ガスとの熱交換により加熱された水を気体（高圧スチーム）と液体とに分離する。気液分離器１８は、排熱ボイラー１４にて冷却された合成ガスから凝縮分を除去し気体分を脱炭酸装置２０に供給する。脱炭酸装置２０は、気液分離器１８から供給された合成ガスから吸収液を用いて炭酸ガスを除去する吸収塔２２と、該炭酸ガスを含む吸収液から炭酸ガスを放散させて再生する再生塔２４とを有する。水素分離装置２６は、脱炭酸装置２０により炭酸ガスが分離された合成ガスから、当該合成ガスに含まれる水素ガスの一部を分離する。ただし、前記脱炭酸装置２０は場合によっては設ける必要がないこともある。
【００２０】
このうち、改質器１２は、例えば、下記の化学反応式（１）、（２）で表される水蒸気・炭酸ガス改質法により、炭酸ガスと水蒸気とを用いて天然ガスを改質して、一酸化炭素ガスと水素ガスとを主成分とする高温の合成ガスを生成する。なお、この改質器１２における改質法は、前記水蒸気・炭酸ガス改質法の例に限定されず、例えば、水蒸気改質法、酸素を用いた部分酸化改質法（ＰＯＸ）、部分酸化改質法と水蒸気改質法の組合せである自己熱改質法（ＡＴＲ）、炭酸ガス改質法などを利用することもできる。
【００２１】
ＣＨ４＋Ｈ２Ｏ→ＣＯ＋３Ｈ２    ・・・（１）
ＣＨ４＋ＣＯ２→２ＣＯ＋２Ｈ２  ・・・（２）
【００２２】
また、水素分離装置２６は、脱炭酸装置２０又は気液分離器１８と気泡塔型スラリー床反応器３０（以下、「反応器３０」ということもある。）とを接続する主配管から分岐した分岐ラインに設けられる。この水素分離装置２６は、例えば、圧力差を利用して水素の吸着と脱着を行う水素ＰＳＡ（Pressure Swing Adsorption：圧力変動吸着）装置などで構成できる。この水素ＰＳＡ装置は、並列配置された複数の吸着塔（図示せず。）内に吸着剤（ゼオライト系吸着剤、活性炭、アルミナ、シリカゲル等）を有しており、各吸着塔で水素の加圧、吸着、脱着（減圧）、パージの各工程を順番に繰り返すことで、合成ガスから分離した純度の高い水素ガス（例えば９９．９％程度）を、水素を利用して所定反応を行う各種の水素利用反応装置（例えば、脱硫反応器１０、ワックス留分水素化分解反応器６０、中間留分水素化精製反応器６１、ナフサ留分水素化精製反応器６２など）へ連続して供給することができる。
【００２３】
水素分離装置２６における水素ガス分離方法としては、前記水素ＰＳＡ装置のような圧力変動吸着法の例に限定されず、例えば、水素吸蔵合金吸着法、膜分離法、或いはこれらの組合せなどであってもよい。
【００２４】
次に、ＦＴ合成ユニット５について、図１、図２を参照して説明する。図１、図２に示すようにＦＴ合成ユニット５は、気泡塔型スラリー床反応器３０と、気液分離器３２と、外部型触媒分離器３４と、気液分離装置３６と、逆洗液槽３８と、第１精留塔４０とを主に備える。
気泡塔型スラリー床反応器３０は、合成ガスから液体炭化水素を合成するもので、ＦＴ合成反応により合成ガスから液体炭化水素を合成するＦＴ合成用反応器として機能する。この反応器３０は、反応器本体８０と、冷却管８１とを主に備えており、内部が例えば１９０〜２７０℃程度に加熱され、かつ大気圧より加圧された条件下で運転される。
【００２５】
反応器本体８０は、略円筒型の金属製の容器である。反応器本体８０の内部には、液体炭化水素（ＦＴ合成反応の生成物）中に固体の触媒粒子を懸濁させたスラリーが収容されており、該スラリーによってスラリー床が形成されている。
この反応器本体８０の下部においては、水素ガスおよび一酸化炭素ガスを主成分とする合成ガスがスラリー中に噴射されるようになっている。そして、スラリー中に吹き込まれた合成ガスは、気泡となってスラリー中を反応器本体８０の高さ方向（鉛直方向）下方から上方へ向かって上昇する。その過程で、合成ガスは液体炭化水素中に溶解し、触媒粒子と接触することにより、液体炭化水素の合成反応（ＦＴ合成反応）が進行する。具体的には、下記化学反応式（３）に示すように水素ガスと一酸化炭素ガスとが反応して炭化水素を生成する。
【００２６】
２ｎＨ２＋ｎＣＯ→（−ＣＨ２−）ｎ＋ｎＨ２Ｏ  ・・・（３）
【００２７】
また、合成ガスが気泡として反応器本体８０内を上昇することで、反応器本体８０の内部においてはスラリーの上昇流（エアリフト）が生じる。これにより、反応器本体８０内部にスラリーの循環流が生じる。
【００２８】
反応器本体８０内に収容されるスラリーの上部には気相部が設けられており、前記気相部とスラリーとの界面において、気液分離がなされる。すなわち、スラリー中で反応することなくスラリーと前記気相部との界面を通過した合成ガス、およびＦＴ合成反応により生成した、反応器本体８０内の条件において気体状である比較的軽質の炭化水素は、気体成分として前記気相部に移る。この際に、この気体成分に同伴する液滴、およびこの液滴に同伴する触媒粒子は重力によりスラリーに戻される。そして、反応器本体８０の頂部まで上昇した気体成分（未反応の合成ガスおよび前記軽質の炭化水素）は、反応器本体８０の頂部に接続された導管を介して抜き出され、後述するように冷却された上で気液分離装置３６に供給される。
【００２９】
冷却管８１は、反応器本体８０の内部に設けられ、ＦＴ合成反応の反応熱を除去することにより、系内の温度を所定の温度に保つ。この冷却管８１は、例えば、１本の管を屈曲させ、鉛直方向に沿って上下に複数回往復するように形成されていてもよい。また、例えば、バイヨネット型と呼ばれる二重管構造の冷却管を反応器本体８０の内部に複数配置してもよい。すなわち、冷却管８１の形状および本数は前記形状および本数に限られるわけではなく、反応器本体８０内部に配置されて、スラリーを冷却することに寄与できるものであればよい。
【００３０】
この冷却管８１内には、気液分離器３２から供給される冷却水（例えば、反応器本体８０内の温度との差が−５０〜０℃程度の水）が流通しており、冷却管８１内を流通する過程で、スラリーと冷却管８１の管壁を介して熱交換することにより、反応器本体８０内部のスラリーが冷却される。冷却水の一部は、水蒸気となって、気液分離器３２に排出され、中圧スチームとして回収できるようになっている。
反応器本体８０内のスラリーを冷却するため媒体としては、前記のような冷却水に限定されず、例えば、Ｃ４〜Ｃ１０の直鎖状、分枝鎖状または環状のアルカン、オレフィン、低分子量シラン、シリルエーテル、シリコーンオイルなどを使用することもできる。
【００３１】
図１に示す気液分離器３２は、反応器本体８０内に配設された冷却管８１内を流通して加熱された水を、水蒸気（中圧スチーム）と液体とに分離する。この気液分離器３２で分離された液体は、冷却水として再び冷却管８１に供給される。
【００３２】
反応器本体８０内に収容されるスラリーを構成する触媒は、特に限定されないが、シリカ、アルミナ等の無機酸化物からなる担体に、コバルト、ルテニウム、鉄等から選択される少なくとも１種の活性金属が担持された、固体粒子状の触媒が好ましく使用される。この触媒は、活性金属の他に、ジルコニウム、チタン、ハフニウム、レニウム等の触媒の活性を高めるため等を目的として添加される金属成分を有していてもよい。この触媒の形状は特に限定されないが、スラリーの流動性の観点、および、流動に際して触媒粒子どうし、および触媒粒子と反応器本体８０の内壁、冷却管８１等との衝突、摩擦により触媒粒子が崩壊あるいは磨耗して、微粉化された触媒粒子が発生することを抑制するとの観点から、略球状であることが好ましい。
また、触媒粒子の平均粒径は特に限定されないが、スラリーの流動性の観点から、４０〜１５０μｍ程度であることが好ましい。
【００３３】
外部型触媒分離器３４は、図２に示すように反応器３０の外部に配設された分離槽５０と、分離槽５０内に設けられたフィルター５２とを備えている。分離槽５０の上部には、反応器本体８０の中央部に接続された流出管３４ａが設けられ、分離槽５０の下部には、反応器本体８０の下部に接続された返送管３４ｂが設けられている。ここで、反応器本体８０の下部とは、反応器本体８０の底部から、反応器本体８０の１／３以下の長さの範囲にある部分のことであり、反応器本体８０の中央部とは、反応器本体８０の上部と下部との間の部分のことである。また、分離槽５０には第１配管４１および第２配管４４が接続されており、これら第１配管４１および第２配管４４は分離槽５０内のフィルター５２に接続している。
【００３４】
フィルター５２は、図３（ａ）に示すようにフィルターエレメント５３が水平方向において縦横に多数配置されて構成されている。また、必要に応じてこれら縦横に配置された単段のフィルターエレメント５３群が、スラリーの流れ方向、例えば鉛直方向に複数段配設され、多段構造に構成されていてもよい。
これら各フィルターエレメント５３には、系統ごとに濾液（液体炭化水素）を抜き出す第１導管５４がそれぞれに接続して設けられており、これら第１導管５４は、一つの第２導管５５に接続している。第１導管５４には、必要に応じてそれぞれに独立して開閉弁（図示せず）が設けられている。また、第２導管５５には、弁５６が設けられており、第３導管５７には弁５８が接続されている。第２導管５５は、図２に示す第１配管４１に接続しており、第２導管５７は、図２に示す第３配管４４に接続している。
【００３５】
フィルターエレメント５３は、図３（ｂ）に示すように例えば一対のプレート５３ａ、５３ａ間に多数の濾過媒体５３ｂを積層した柱状（円柱状または角柱状）のもので、下側のプレート５３ａに、前記第１導管５４を接続している。このような構成によってフィルターエレメント５３は、流出管３４ａを介して反応器３０から抜き出されたスラリーを濾過媒体５３ｂで濾過し、スラリー中の触媒粒子を捕捉する。また、スラリー中の液体炭化水素については、濾液として第１導管５４に導出する。ここで、このフィルターエレメント５３の濾過媒体５３ｂとしては、その目開きが５〜３０μｍ、好ましくは５〜２５μｍ、更に好ましくは５〜２０μｍであることが望ましい。
【００３６】
図２に示すように返送管３４ｂは、外部型触媒分離器３４において、フィルター５２の逆洗処理により、フィルター５２（濾過媒体５３ｂ）から除去された触媒粒子および液体炭化水素（炭化水素油）、更に濾過により濃縮されたスラリーを反応器本体８０に返送するための配管である。
【００３７】
第１配管４１には、濾過装置４５および貯槽４６がこの順に配設されている。濾過装置４５は内部にフィルター（図示せず。）を有し、このフィルターによって導入された重質液体炭化水素を濾過する。すなわち、この濾過装置４５内のフィルターは、前記外部型触媒分離器３４内のフィルター５２（濾過媒体５３ｂ）で捕捉されずに重質液体炭化水素に同伴する粒径の比較的小さな触媒粒子の少なくとも一部を捕捉し、除去する。なお、濾過装置４５のフィルターの目開きとしては、例えば５μｍ程度とされる。また、貯槽４６は、前記外部型触媒分離器３４内のフィルター５２および前記濾過装置４５を通過した重質液体炭化水素を一旦貯留する。
【００３８】
濾過装置４６の下流には第１配管４１を介して第１精留塔４０が接続されている。また、濾過装置４６の下流の第１配管４１からは、中途に弁４７が配設された第３配管４８が分岐し、逆洗液槽３８に接続されている。
逆洗液槽３８は、後述する軽質液体炭化水素を貯留するようになっているが、上記の配置により、必要に応じて、外部型触媒分離器３４および前記濾過装置４６で濾過された重質液体炭化水素をこの逆洗液槽３８に供給し、前記軽質液体炭化水素と混合することができるようになっている。この逆洗液槽３８には前記第２配管４４が接続されており、これによって逆洗液槽３８は、貯留した軽質液体炭化水素または軽質炭化水素と重質炭化水素との混合物（混合油）を逆洗液として第２配管４４に導出し、外部型触媒分離器３４に供給するようになっている。
【００３９】
前記反応器３０には、その反応器本体８０の気相部（塔頂部）に抜出管８２が接続されている。抜出管８２は、熱交換部８３を介して気液分離装置３６に接続しており、反応器本体８０内の塔頂まで上昇した気体成分、すなわち未反応の合成ガスおよびＦＴ合成反応の生成物であり、反応器本体８０内の条件にて気体である軽質炭化水素を、気液分離装置３６に移送する。熱交換部８３は、合成ガス製造ユニット３から供給された合成ガスと反応器本体８０から抜き出された気体成分とを熱交換させ、相対的に温度が低い合成ガスを加熱するとともに、相対的に温度が高い前記気体成分を冷却して、前記気体成分に含まれる比較的沸点の高い成分を、軽質液体炭化水素の一部として凝縮させる。
【００４０】
気液分離装置３６は、第１ドラム８４、第２ドラム８５、第３ドラム８６と、第１凝縮器８７、第２凝縮器８８とを備えて構成されている。第１ドラム８４は、抜出管８２に直接接続したもので、前記気体成分が前記熱交換部８３において冷却されることにより、その一部が凝縮して得られる気液混合物を気液分離する。ここで、熱交換部８３は、反応器本体８０から抜き出された前記気体成分を、反応器３０に供給される合成ガスとの熱交換によって冷却し、前記気体成分の一部を液化させる。熱交換部８３により、前記反応器本体８０から抜き出された気体成分を冷却する温度（熱交換部８３の出口温度）は、１８０℃以上であることが好ましく、２００℃以上であることが更に好ましく、２１０℃以上であることが特に好ましい。また、前記温度は、必然的に前記反応器本体８０から排出される気体成分の温度、すなわち反応器本体８０の温度よりも低い温度となる。この反応器本体８０内の温度は選択する反応条件によって変化するため一概にはいえないが、例えば１９０〜２７０℃、好ましくは２００〜２６０℃である。前記気体成分を前記範囲の温度に冷却することで、前記気体成分の中でも比較的に高沸点の成分のみを選択的に液化することができ、したがって得られる液体炭化水素を後述するように逆洗液として良好に機能させることができる。すなわち、逆洗液が、前記フィルター５２を通過するまでに、周囲の温度によってその温度が上昇し、気化することを抑制することができ、効率的に逆洗を行なうことができる。
【００４１】
また、軽質液体炭化水素の中でも、反応器本体８０の気相部から排出された気体成分を、熱交換部８３によって、好ましくは１８０℃以上、更に好ましくは２００℃以上、特に好ましくは２１０℃以上であって、且つ反応器本体８０内の温度よりも低い温度に冷却して、凝縮する軽質液体炭化水素をフィルター５２の逆洗液として使用することにより、ＦＴ合成反応に使用する触媒の経時的な活性の低下を抑制することができる可能性がある。すなわち、ＦＴ合成反応においては、主生成物である炭化水素に加えて、副生成物として一酸化炭素由来の酸素原子を有する、アルコール類等の含酸素化合物が生成する。この含酸素化合物は、ＦＴ合成反応に使用される触媒の活性を低下させる可能性がある。一方、ＦＴ合成反応の特性から、含酸素化合物は、炭素数がより少ない留分（沸点がより低い留分）により多く含まれる傾向にある。このため、フィルター５２の逆洗液として、沸点の低い留分（軽質留分）をより多く含む液体炭化水素を用いるほど、逆洗液中に含まれる含酸素化合物の濃度が高くなり、この逆洗液が流入する反応器本体８０内の液体炭化水素中の含酸素化合物の濃度が高まる傾向となる。この場合、ＦＴ合成反応用の触媒の経時的な活性の低下がより進行しやすくなる可能性がある。
これに対して、反応器本体８０の気相部から排出された気体成分を、熱交換部８３により上記範囲の温度に冷却して凝縮する軽質液体炭化水素を逆洗液として用いることで、軽質液体炭化水素の中でも比較的に含酸素化合物の濃度が低い成分を利用することとなり、ＦＴ合成反応に用いる触媒の活性低下に与える影響を減じることができる可能性がある。
【００４２】
なお、本実施形態では合成ガスの冷熱を利用する熱交換部８３によって前記気体成分を冷却する例について述べたが、これに代えて別の単一または複数の冷却器（図示せず。）を備え、反応器本体８０から抜き出された気体成分を前記範囲の温度に冷却するようにしてもよい。
このようにして第１ドラム８４での気液分離により得られた液体炭化水素（軽質液体炭化水素）は、後述するように逆洗液として好ましく使用され、一方、この液体炭化水素から分離された気体成分は第２ドラム８５側に排出される。
【００４３】
第１凝縮器８７は、第１ドラム８４と第２ドラム８５との間を連通させる配管に設けられ、第１ドラム８４から流出した気体成分を水等の冷却媒体と熱交換させ、その一部を液化させる。第１凝縮器８７においては、その出口温度を例えば１００℃に設定することにより、第１ドラム８４から供給された気体成分中の沸点がおおよそ１００℃を超える炭化水素が液化する。そして、第２ドラム８５は、沸点がおおよそ１００℃を超える液体炭化水素（軽質液体炭化水素）と沸点がおおよそ１００℃以下の気体成分とを分離し、該気体成分を第３ドラム８６側に排出する。
【００４４】
第２凝縮器８８は、第２ドラム８５と第３ドラム８６との間を連通させる配管に設けられ、第２ドラム８５から排出された気体成分を水等の冷却媒体と熱交換させ、その一部を液化する。第２凝縮器８８においては、その出口温度を例えば４０℃に設定することにより、第２ドラム８５から供給された気体成分中の沸点がおおよそ４０℃を超える炭化水素が液化する。そして、第３ドラム８６は、沸点がおおよそ４０℃を超える液体炭化水素（軽質液体炭化水素）と沸点がおおよそ４０℃より低い気体成分とを分離し、該気体成分を返送管８９から排出する。前記気体成分は返送管８９によって合成ガスの供給管４９に返送される。
この気体成分は、未反応の合成ガス（ＣＯ、Ｈ２）およびＣ４以下の炭化水素を主として含み、合成ガスの供給管４９において、合成ガス製造ユニット３から供給される合成ガスと混合され、反応器３０にリサイクルされ、未反応の合成ガスが再利用される。この第３ドラム８６から排出される気体成分については、少なくともその一部は、合成ガスの供給管４９に返送することなく、フレア・ガスとして焼却する、あるいは燃料として用いるようにしてもよい。
【００４５】
第１ドラム８４には、その底部に第１導出管９０が接続されている。第１導出管９０は、図２中実線で示すように前記逆洗液槽３８に接続して設けられ、第１ドラム８４から軽質液体炭化水素を逆洗液槽３８に供給する。この第１導出管９０には、必要に応じてフィルターを有する槽９３が設けられている。この槽９３内のフィルターは、第１ドラム８４から導出された液体炭化水素中に僅かながら含まれる触媒粒子を捕捉し、除去する。すなわち、反応器本体８０内の気相部から抜き出される気体成分中にはスラリーの飛沫（ミスト）が含まれ、この飛沫中には触媒粒子が含まれることがある。すると、この触媒粒子は主に第１ドラム８４内で沈降し、導出される液体炭化水素とともに第１導出管９０に導出される。したがって、導出された液体炭化水素を槽９３内のフィルターで濾過することにより、後述するように逆洗処理の際に、少量の触媒粒子がフィルターに対して逆方向から供給されることを回避することができる。
【００４６】
また、第１導出管９０には、前記槽９３の下流側（逆洗液槽３８側）に再冷却部９４が設けられている。再冷却部９４は、第１導出管９０を流通する軽質液体炭化水素と水等の冷却媒体とを熱交換させ、第１導出管９０を流通する軽質液体炭化水素を更に冷却する。すなわち、反応器本体８０内の気相部から抜き出された気体成分を合成ガスとの熱交換部８３で冷却し、得られた軽質液体炭化水素を、この再冷却部９４で冷却する。再冷却部９４の出口温度としては特に限定されず、熱交換部８３の出口温度より低い温度であればよいものの、１００℃以上２００℃以下の温度であることが好ましく、１２０℃以上１９０℃以下の温度であることがより好ましい。
【００４７】
前記再冷却部９４の出口温度が１００℃よりも低い温度である場合、例えば再冷却部９４内の配管にワックス分が析出して付着し、伝熱の悪化に伴う冷却効率の低下等の問題を生じる懸念がある。また、再冷却部９４にて再冷却した軽質液体炭化水素を、逆洗液槽３８および第２配管４４を経て、逆洗液として外部型触媒分離器３４内のフィルター５２に濾過時とは逆方向に流通させる際に、該軽質液体炭化水素が有する冷熱によって、フィルター５２の周辺に存在する重質液体炭化水素が冷却され、一部のワックスが析出して、フィルター５２の差圧が上昇する等の問題を生じる懸念がある。一方、前記再冷却部９４の出口温度を１９０℃を超える温度とする場合、軽質液体炭化水素が外部型触媒分離器３４内のフィルター５２に供給されたときに、該軽質液体炭化水素が気化するまでの時間が十分に遅延されず、フィルター５２を通過する時点で該軽質液体炭化水素が気化し、フィルター５２上に堆積した触媒粒子を効率的に除去することが困難となる可能性がある。
【００４８】
このように第１ドラム８４から導出された軽質液体炭化水素を再冷却する目的は、後述するようにこの軽質液体炭化水素を逆洗液として、内部の温度が反応器本体８０内の温度と同等（例えば１９０〜２７０℃）である外部型触媒分離器３４に導入した際、外部型触媒分離器３４内の温度（例えば１９０〜２７０℃）によって軽質液体炭化水素の温度が短時間にその沸点まで上昇して、該軽質液体炭化水素が気化し、逆洗液としての機能を充分に発揮できなくなることを避けるためである。すなわち、前記軽質液体炭化水素をその沸点より充分に低い温度にまで冷却しておくことにより、この軽質液体炭化水素を逆洗液として外部型触媒分離器３４に導入した際、軽質液体炭化水素が気化するまでの時間を遅延させることができる。したがって、この軽質液体炭化水素が液体である状態のうちに、逆洗処理を終了させることができるようになり、これによりフィルター５２上に堆積した触媒粒子を効率的に除去することができる。
【００４９】
このようにして第１ドラム８４から排出され、第１導出管９０を流通して再冷却部９４で再冷却された軽質液体炭化水素は、逆洗液槽３８に流入し、逆洗液としてここに一時的に貯留される。また、この逆洗液槽３８において前記軽質液体炭化水素は、第３配管４８を経て流入した液体炭化水素と混合され、逆洗処理用の混合物（混合油）を形成してもよい（詳細は後述）。
【００５０】
第２ドラム８５には、その底部に第２導出管９１が接続されており、第３ドラム８６には、その底部に第３導出管９２が接続されている。これらの導出管は合流して一つの配管となり、前記第１配管４１の、前記第３配管４８との分岐点の下流側に接続する。
第１精留塔４０は、第１配管４１に接続して配設され、前記第１配管４１を経て供給される重質液体炭化水素、すなわち外部型触媒分離器３４から導出された液体炭化水素と、第２導出管９１および第３導出管９２をそれぞれ経て供給される軽質液体炭化水素、すなわち第２ドラム８５および第３ドラム８６から導出された軽質液体炭化水素とを蒸留し、沸点に応じて各留分に分離する。
なお、上記では気液分離装置３６は第１ドラム８４、第２ドラム８５、第３ドラム、第１凝縮器８７および第２凝縮器８８から構成されるものとしたが、このような構成とすることにより、軽質液体炭化水素を確実に回収することが可能となる。
但し、気液分離装置３６は上記の構成に限定されることはなく、第２ドラム８５、第２凝縮器８８および第２導出管９１を設けず、第１凝縮器８７の出口配管を第３ドラム８６の入口配管と接続する構成としてもよい。その場合の第１凝縮器８７の出口温度は４０℃程度に設定する。
【００５１】
また、上記の例では、第１ドラム８４で分離された軽質液体炭化水素のみを第１導出管９０により逆洗液槽３８に移送して、逆洗液とする例を示したが、逆洗液として使用する軽質液体炭化水素はこれに限定されるものではなく、第２ドラム８５で分離された軽質液体炭化水素および／または第３ドラム８６で分離された軽質液体炭化水素と、前記第１ドラムで分離された軽質液体炭化水素との混合物を用いてもよい。すなわち、第２ドラム８５から第２導管９１により排出された軽質液体炭化水素、および／または第３ドラム８６から第３導管９２により排出された軽質液体炭化水素を、配管９０の破線で示した部分を使用して、第１導出管に合流させ、第１ドラム８４から排出された軽質液体炭化水素と前記軽質液体炭化水素との混合物を形成し、この混合物を逆洗液槽３８に移送して、逆洗液として用いてもよい。
【００５２】
図１に示すようにアップグレーディングユニット７は、例えば、ワックス留分水素化分解反応器６０と、中間留分水素化精製反応器６１と、ナフサ留分水素化精製反応器６２と、気液分離器６３，６４，６５と、第２精留塔７０と、ナフサ・スタビライザー７２とを備える。ワックス留分水素化分解反応器６０は、第１精留塔４０の塔底に接続されている。中間留分水素化精製反応器６１は、第１精留塔４０の中央部に接続されている。ナフサ留分水素化精製反応器６２は、第１精留塔４０の上部に接続されている。気液分離器６３，６４，６５は、これら水素化反応器６０，６１，６２のそれぞれに対応して設けられている。第２精留塔７０は、気液分離器６３，６４から供給された液体炭化水素を沸点に応じて分留する。ナフサ・スタビライザー７２は、気液分離器６５及び第２精留塔７０の塔頂から供給されたナフサ留分の液体炭化水素を精留し、Ｃ４以下の気体成分は例えばフレア・ガスとして排出し、炭素数が５以上の成分は製品のナフサとして回収する。
【００５３】
次に、以上のような構成の合成反応システム１により、天然ガスから液体燃料を合成する工程（ＧＴＬプロセス）について説明する。
合成反応システム１には、天然ガス田または天然ガスプラントなどの外部の天然ガス供給源（図示せず。）から、炭化水素原料としての天然ガス（主成分がＣＨ４）が供給される。前記合成ガス製造ユニット３は、この天然ガスを改質して合成ガス（一酸化炭素ガスと水素ガスを主成分とする混合ガス）を製造する。
【００５４】
まず、前記天然ガスは、水素分離装置２６によって分離された水素ガスとともに脱硫反応器１０に供給される。脱硫反応器１０は、前記水素ガスを用いて天然ガスに含まれる硫黄化合物を公知の水素化脱硫触媒で水素化して硫化水素に転換し、更にこの硫化水素を酸化亜鉛のような吸着材により吸着・除去することにより、天然ガスの脱硫を行う。このようにして天然ガスを予め脱硫しておくことにより、改質器１２及び気泡塔型スラリー床反応器３０、アップグレーディングユニット７の水素化処理反応器で用いられる触媒の活性が硫黄化合物により低下することを防止できる。
【００５５】
このようにして脱硫された天然ガス（炭酸ガスを含んでもよい。）は、炭酸ガス供給源（図示せず。）から供給される炭酸ガス（ＣＯ２）と、排熱ボイラー１４で発生した水蒸気とが混合された後で、改質器１２に供給される。改質器１２は、例えば、水蒸気・炭酸ガス改質法により、炭酸ガスと水蒸気とを用いて天然ガスを改質して、一酸化炭素ガスと水素ガスとを主成分とする高温の合成ガスを生成する。このとき、改質器１２には、例えば、改質器１２が備えるバーナー用の燃料ガスと空気とが供給されており、該バーナーにおける燃料ガスの燃焼熱および改質器１２の炉内の輻射熱により、吸熱反応である前記水蒸気・炭酸ガス改質反応に必要な反応熱がまかなわれている。
【００５６】
このようにして改質器１２で製造された高温の合成ガス（例えば、９００℃、２．０ＭＰａＧ）は、排熱ボイラー１４に供給され、排熱ボイラー１４内を流通する水との熱交換により冷却（例えば４００℃）されて、排熱回収される。このとき、排熱ボイラー１４において合成ガスにより加熱された水は気液分離器１６に供給され、この気液分離器１６から気体分が高圧スチーム（例えば３．４〜１０．０ＭＰａＧ）として改質器１２または他の外部装置に供給され、液体分の水が排熱ボイラー１４に戻される。
【００５７】
一方、排熱ボイラー１４において冷却された合成ガスは、凝縮液分が気液分離器１８において分離・除去された後、脱炭酸装置２０の吸収塔２２、または気泡塔型スラリー床反応器３０に供給される。吸収塔２２は、貯留している吸収液内に、合成ガスに含まれる炭酸ガスを吸収することで、該合成ガスから炭酸ガスを分離する。この吸収塔２２内の炭酸ガスを含む吸収液は、再生塔２４に導入され、該炭酸ガスを含む吸収液は例えばスチームで加熱されてストリッピング処理され、放散された炭酸ガスは、再生塔２４から改質器１２に送られて、前記改質反応に再利用される。
【００５８】
このようにして、合成ガス製造ユニット３で生成された合成ガスは、図２に示す供給管４９を介して前記ＦＴ合成ユニット５の気泡塔型スラリー床反応器３０に供給される。このとき、気泡塔型スラリー床反応器３０に供給される合成ガスの組成比は、ＦＴ合成反応に適した組成比（例えば、Ｈ２：ＣＯ＝２：１（モル比））に調整されている。なお、この合成ガスは、本実施形態では気泡塔型スラリー床反応器３０の気相部から抜き出された気体成分を熱交換部８３において冷却する冷媒となる。したがって、該気体成分を所望温度に冷却するべく、必要に応じて予備冷却されるように構成されていてもよい。また、この合成ガスは、脱炭酸装置２０と気泡塔型スラリー床反応器３０とを接続する配管に設けられた圧縮機（図示せず。）により、ＦＴ合成反応に適切な圧力（例えば３．６ＭＰａＧ）まで昇圧されるように構成されていてもよい。
【００５９】
また、前記脱炭酸装置２０により炭酸ガスが分離された合成ガスの一部は、水素分離装置２６にも供給される。水素分離装置２６は、前記のように圧力差を利用した吸着、脱着（水素ＰＳＡ）により、合成ガスに含まれる水素ガスを分離する。分離された水素ガスは、ガスホルダー（図示せず。）等から圧縮機（図示せず。）を介して、合成反応システム１内において水素ガスを利用して所定反応を行う各種の水素利用反応装置（例えば、脱硫反応器１０、ワックス留分水素化分解反応器５０、中間留分水素化精製反応器５２、ナフサ留分水素化精製反応器５４など）に、連続して供給される。
【００６０】
次いで、前記ＦＴ合成ユニット５は、前記合成ガス製造ユニット３によって製造された合成ガスから、ＦＴ合成反応により、炭化水素を合成する。以下、ＦＴ合成反応による炭化水素の合成方法に基づき、本発明の炭化水素の製造方法の第１実施形態を説明する。
【００６１】
前記合成ガス製造ユニット３において生成した合成ガスは、熱交換部８３で熱交換して反応器３０の反応器本体８０の気相部から抜き出された気体成分を冷却することで加熱された後、気泡塔型スラリー床反応器３０を構成する反応器本体８０の底部から流入し、反応器本体８０内に収容されたスラリー内を上昇する。この際、反応器本体８０内では、前述したＦＴ合成反応により、該合成ガスに含まれる一酸化炭素ガスと水素ガスとが反応して、炭化水素が生成する。
さらに、この合成反応時には、冷却管８１内に水を流通させることでＦＴ合成反応の反応熱を除去する。この熱交換により加熱された水は、気化して水蒸気となる。この水蒸気に含まれる液体の水は、気液分離器３２で分離されて冷却管８１に戻され、気体分が中圧スチーム（例えば１．０〜２．５ＭＰａＧ）として外部装置に供給される。
【００６２】
気泡塔型スラリー床反応器３０の反応器本体８０内の、液体炭化水素および触媒粒子を含有するスラリーの一部は、図２に示すように反応器本体８０の中央部から流出管３４ａを介して抜き出され、外部型触媒分離器３４に導入される。
外部型触媒分離器３４では、導入されたスラリーをフィルター５２によって濾過し、触媒粒子を捕捉する。これにより、スラリーを固形分と液体炭化水素からなる液体分とに分離する。この外部型触媒分離器３４による濾過処理により、反応器３０内から液体炭化水素を抜き出す（抜き出し工程）。ここで、外部型触媒分離器３４内の温度や圧力については、基本的には反応器本体８０内と同じ条件で運転される。したがって、フィルター５２によって濾過分離されて得られる液体分は、前述したように反応器本体８０内の条件において液体状である炭化水素、すなわち重質液体炭化水素である。
【００６３】
外部型触媒分離器３４は、本実施形態では図３に示すフィルター５２のうちの一部のフィルターエレメント５３群が、それぞれに接続する第２導管５５に設けられた弁５６の制御により、通常の濾過工程をなすようになっている。また、残部のフィルターエレメント５３群が、それぞれに接続する第２導管５５に設けられた弁５６および第３導管５７に設けられた弁５８の制御により、後述する逆洗工程をなすようになっている。すなわち、本実施形態では、図３に示すフィルター５２のうちの一部のフィルターエレメント５３群は通常の濾過処理を行い、残りのフィルターエレメント５３群は逆洗処理を行うようになっている。このような濾過処理と逆洗処理との切換は、弁５６および弁５８の切換操作によって行うことができる。なお、このような濾過処理、逆洗処理は、所定時間毎に交互になされるようになっており、したがって所定時間が経過すると、制御部（図示せず）による制御によって各弁５６および弁５８が自動的に切り換えられるようになっている。
したがって、濾過工程で捕捉された触媒粒子は、その後になされる逆洗工程においてフィルター５２表面から取り除かれ、逆洗液とともに返送管３４ｂを経て反応器本体８０のスラリー床に戻されるようになっている。
【００６４】
外部型触媒分離装置３４における濾過処理によってフィルター５２で触媒粒子から分離され、第１導管５４、第２導管５５を介して第１配管４１に導出された重質液体炭化水素（液体分）は、図２に示すように、濾過装置４５により再度濾過処理されてもよい。濾過装置４５では、内部に配置したフィルターによって重質液体炭化水素を濾過することにより、外部型触媒分離器３４のフィルター５２（濾過媒体５３ｂ）で捕捉されずに重質液体炭化水素中に混入した、反応器本体８０内で触媒粒子の摩擦、崩壊等により発生した微粉化した触媒粒子の少なくとも一部を捕捉し、除去する。
【００６５】
濾過装置４５で再度濾過処理された重質液体炭化水素は、貯槽４６に一旦貯留される。そして、貯槽４６から排出された重質液体炭化水素は、第２ドラム８５および第３ドラム８６から排出される軽質液体炭化水素と合流し、第１精留塔４０に供給される。また、場合により、その重質液体炭化水素の一部は、弁４７によって必要量が逆洗液として逆洗液槽３８に供給され、その他は第１精留塔４０に供給される。但し、以後の本実施形態の説明では、重質液体炭化水素は逆洗液用として逆洗液槽３８に供給されることなく、全量が第１精留塔４０に供給されるものとする。
【００６６】
前述のように、反応器本体８０の気相部から抜き出された気体成分は、抜出管８２を経て熱交換部８３で熱交換され、合成ガスによって冷却されてその一部が液化した後、気液混合状態で気液分離装置３６の第１ドラム８４内に流入する。第１ドラム８４内に流入した気液混合物はここで気液分離され、液体分、すなわち軽質液体炭化水素は、第１ドラム８４から第１導出管９０に排出される。
【００６７】
第１導出管９０に排出された軽質液体炭化水素は、前述のように槽９３に導入され、この槽９３内のフィルターによって該軽質液体炭化水素中に僅かに含まれる触媒粒子が捕捉され、除去される。さらに、槽９３から導出された軽質液体炭化水素は、再冷却部９４において所定温度に再冷却される（再冷却工程）。その後、再冷却された軽質液体炭化水素は、逆洗液槽３８に導入され、逆洗処理用の液、すなわち逆洗液として貯留される。
このようにして得られる軽質液体炭化水素を逆洗液として用いれば、逆洗液は反応器本体８０内に戻された後、気化して気体成分の一部として反応器本体の頂部から排出され、スラリーの一部として外部型触媒分離器３４のフィルター５２で濾過処理されることはない。したがって、この軽質液体炭化水素からなる逆洗液はフィルター５２を往復して繰り返し通過することがないため、逆洗液として重質液体炭化水素を用いていた従来に比べ、フィルター５２の負荷を格段に軽減することができる。
【００６８】
また、第１ドラム８４において液体成分から分離されて排出された気体成分は、第１凝縮器８７により冷却されてその一部が液化し、液化した成分（軽質液体炭化水素）は第２ドラム８５にて気体成分と分離されて第１精留塔４０に供給される。また、第２ドラム８５において液体成分から分離されて排出された気体成分は、第２凝縮器８８で冷却されてその一部が液化し、液化した成分（軽質液体炭化水素）は第３ドラム８６にて気体成分と分離されて第１精留塔４０に供給される。
なお、第１ドラム８４および／または第２ドラム８５に流入する液体成分中には、反応器３０内で副生する水が含まれている。したがって、第１ドラム８４および／または第２ドラム８５の底部には、水抜き用の配管（図示せず。）を設けておくのが好ましい。
【００６９】
また、外部型触媒分離器３４において濾過処理と並行してなされる逆洗処理（逆洗工程）は、逆洗液槽３８から第２配管４４に導出された逆洗液（軽質液体炭化水素）を、図３（ａ）に示す第３導管５７を介してフィルターエレメント５３群に流通させることで行う。すなわち、逆洗液槽３８内の逆洗液を図示しないポンプ等によって第２配管４４中に圧送し、第３導管５７、第１導管５４を介してフィルターエレメント５３群に流通させる。すると、逆洗液は外部型触媒分離器３４内に導入され、第３導管５７を介して第１導管５４を逆流し、フィルターエレメント５３の濾過媒体５３ｂを洗浄（逆洗）する。これにより、濾過媒体５３ｂに堆積した触媒粒子は濾過媒体５３ｂから除去され、逆洗液に同伴されて返送管３４ｂを経て、逆洗液とともに反応器３０内のスラリー床中に戻される。
【００７０】
ここで、外部型触媒分離器３４内に導入された逆洗液としての軽質液体炭化水素は、反応器本体８０内の条件において気体状である炭化水素であり、外部型触媒分離器３４内は基本的に反応器本体８０内と同じ条件になっているため、外部型触媒分離器３４内に導入されることで加熱され、気化を開始する。しかし、逆洗液として用いている軽質液体炭化水素は、第１ドラム８４で気液分離した比較的高沸点の炭化水素であり、更に再冷却部９４で再冷却されている（再冷却工程）ことにより、充分に冷熱が付与されているため、外部型触媒分離器３４内に導入されてもしばらくは液体の状態に維持される。したがって、フィルター５２を逆洗処理する間は液体の状態にあることで逆洗液としての機能を充分に発揮し、スラリーの濾過時に濾過媒体５３ｂに堆積した触媒粒子を濾過媒体５３ｂから良好に除去する。
【００７１】
逆洗液とともに反応器本体８０内のスラリー床中に返送された触媒粒子は、スラリー床中にて他の触媒粒子とともにスラリーを形成する。
一方、逆洗液としての軽質液体炭化水素は、反応器本体８０内にて気体となり、反応器本体８０の気相部から抜き出され、気液分離装置３６に送られる。なお、第１ドラム８４に接続する第１導出管９０は、図２中に示す配管９０の破線部分により、第２導出管９１、第３導出管９２が合流する配管に接続しており、切換弁（図示せず。）の切換制御等によって液体（軽質液体炭化水素）の流れる方向を逆洗液槽３８側と第１精留塔４０側とのいずれかに切り換えられるようになっている。これにより、反応系内を循環する、逆洗液としての軽質液体炭化水素が過剰になった際には、過剰分を第１精留塔４０側に排出することができる。
【００７２】
次に、第１精留塔４０は、前記のようにして反応器３０から外部型触媒分離器３４及び濾過装置４６を介して供給された重質液体炭化水素、及び気液分離装置３６を介して供給された軽質液体炭化水素を分留し、ナフサ留分（沸点が約１５０℃より低い。）と、中間留分（沸点が約１５０〜３６０℃）と、ワックス留分（沸点が約３６０℃を超える。）とに分離する。この第１精留塔４０の底部から取り出されるワックス留分の液体炭化水素（主としてＣ２２以上）は、ワックス留分水素化分解反応器６０に移送され、第１精留塔４０の中央部から取り出される中間留分の液体炭化水素（主としてＣ１１〜Ｃ２１）は、中間留分水素化精製反応器６１に移送され、第１精留塔４０の上部から取り出されるナフサ留分の液体炭化水素（主としてＣ５〜Ｃ１０）は、ナフサ留分水素化精製反応器６２に移送される。
【００７３】
ワックス留分水素化分解反応器６０は、第１精留塔４０の塔底から供給された炭素数の多いワックス留分の液体炭化水素（概ねＣ２２以上）を、前記水素分離装置２６から供給される水素ガスを利用して水素化分解して、その炭素数を概ねＣ２１以下に低減する。この水素化分解反応では、触媒と熱を利用して、炭素数の多い炭化水素のＣ−Ｃ結合を切断して、炭素数の少ない低分子量の炭化水素を生成する。このワックス留分水素化分解反応器６０により、水素化分解された液体炭化水素を含む生成物は、気液分離器６３において気体と液体とに分離され、そのうち液体炭化水素は、第２精留塔７０に移送され、気体分（水素ガスを含む。）は、中間留分水素化精製反応器６１及びナフサ留分水素化精製反応器６２に移送される。
【００７４】
中間留分水素化精製反応器６１は、第１精留塔４０の中央部から供給された炭素数が中程度である中間留分の液体炭化水素（概ねＣ１１〜Ｃ２１）を、水素分離装置２６からワックス留分水素化分解反応器６０を介して供給される水素ガスを用いて、水素化精製する。この水素化精製反応では、主に、燃料油基材としての低温流動性を向上する目的で、分岐状飽和炭化水素を得るために、前記液体炭化水素を水素化異性化し、また、前記液体炭化水素中に含まれる不飽和炭化水素に水素を付加して飽和させる。更に、前記炭化水素中に含まれるアルコール類等の含酸素化合物を水素化して飽和炭化水素に変換する。このようにして水素化精製された液体炭化水素を含む生成物は、気液分離器６４で気体と液体とに分離され、そのうち液体炭化水素は、第２精留塔７０に移送され、気体分（水素ガスを含む。）は、前記水素化反応に再利用される。
【００７５】
ナフサ留分水素化精製反応器６２は、第１精留塔４０の上部から供給された炭素数が少ないナフサ留分の液体炭化水素（概ねＣ１０以下）を、水素分離装置２６からワックス留分水素化分解反応器６０を介して供給される水素ガスを用いて、水素化精製する。これにより、供給されるナフサ留分に含まれる不飽和炭化水素及びアルコール類等の含酸素化合物は飽和炭化水素に変換される。このようにして水素化精製された液体炭化水素を含む生成物は、気液分離器６５で気体と液体に分離され、そのうち液体炭化水素は、ナフサ・スタビライザー７２に移送され、気体分（水素ガスを含む。）は、前記水素化反応に再利用される。
【００７６】
次いで、第２精留塔７０は、前記のようにしてワックス留分水素化分解反応器６０及び中間留分水素化精製反応器６１から供給された液体炭化水素を、炭素数がＣ１０以下の炭化水素（沸点が約１５０℃より低い。）と、灯油留分（沸点が約１５０〜２５０℃）と、軽油留分（沸点が約２５０〜３６０℃）及びワックス留分水素化分解反応器６０からの未分解ワックス留分（沸点が約３６０℃を超える。）とに分留する。第２精留塔７０の下部からは軽油留分が取り出され、中央部からは灯油留分が取り出される。一方、第２精留塔７０の塔頂からは、炭素数がＣ１０以下の炭化水素が取り出されて、ナフサ・スタビライザー７２に供給される。
【００７７】
さらに、ナフサ・スタビライザー７２では、前記ナフサ留分水素化精製反応器６２及び第２精留塔７０から供給された炭素数がＣ１０以下の炭化水素を蒸留して、製品としてのナフサ（Ｃ５〜Ｃ１０）を分離・精製する。これにより、ナフサ・スタビライザー７２の塔底からは、高純度のナフサが取り出される。一方、ナフサ・スタビライザー７２の塔頂からは、製品対象外である炭素数が所定数以下（Ｃ４以下）の炭化水素を主成分とするフレア・ガスが排出される。このフレア・ガスは、外部の燃焼設備（フレアスタック、図示せず。）に導入されて、燃焼された後に大気放出される。
【００７８】
本実施形態の炭化水素の製造方法によれば、逆洗工程（逆洗処理）においてフィルター５２に流通させる液体炭化水素として、反応器本体８０の気相部から抜き出された軽質液体炭化水素を用いているので、フィルター５２を往復して繰り返し通過する液体炭化水素（重質液体炭化水素）をなくすことができる。すなわち、軽質液体炭化水素は逆洗工程で反応器本体８０内に返送されても、その後は反応器本体８０内で気化してフィルター５２を流通することなく反応器本体８０の気相部から抜き出されるため、スラリーの一部となってフィルター５２を流通しない。よって、フィルター５２を往復して繰り返し通過する重質液体炭化水素をなくすことができるため、フィルター５２において単位時間あたりに濾過するスラリーの量を少なくすることによってフィルター５２の負荷を軽減することができ、これによって濾過面積の低減化を可能にし、製造設備の小型化や簡易化を図ることができる。
【００７９】
また、反応器３０の気相部から抜き出された気体成分を、熱交換部８３によって１８０℃以上でかつ反応器本体８０内の温度より低い温度に冷却して、軽質液体炭化水素を得るようにしたので、この軽質液体炭化水素を逆洗液として外部型触媒分離器３４内に導入した際、しばらくは液体の状態に維持されることで逆洗液としての機能を良好に発揮させることができる。
また、前記軽質液体炭化水素を再冷却部９４（再冷却工程）で更に冷却するようにしたので、逆洗工程の際に液体の状態に維持される時間を長くすることができ、したがって逆洗液としての機能をより良好に発揮させることができる。
【００８０】
次に、ＦＴ合成反応による炭化水素の合成方法に基づき、本発明の炭化水素の製造方法の第２実施形態を説明する。
本実施形態が前記第１実施形態と異なるところは、逆洗液として、前記軽質液体炭化水素に重質液体炭化水素を混合した混合液を用いる点である。
【００８１】
すなわち、本実施形態では、前記第１実施形態と同様にして、第１導出管９０に排出した軽質液体炭化水素を槽９３に導入し、さらに再冷却部９４において所定温度に再冷却した後、逆洗液槽３８に導入する。一方、第１配管４１中の弁４７により、外部型触媒分離器３４から導出された重質液体炭化水素の一部を逆洗液槽３８内に導入する。これにより、反応器本体８０の気相部から抜き出された気体成分からなる軽質液体炭化水素と、外部型触媒分離器３４から導出された重質液体炭化水素の一部とを混合し、混合物（混合油）からなる逆洗処理用の液、すなわち逆洗液を得る。
【００８２】
ここで、逆洗液中の軽質液体炭化水素と重質液体炭化水素との混合比については、弁４７によって逆洗液槽３８に導入する重質液体炭化水素の量を調整することにより、適宜に制御することができる。また、このように制御される混合比、すなわち軽質液体炭化水素量対重質液体炭化水素量は、特に限定されないものの、８：２〜２：８程度とするのが好ましい。軽質液体炭化水素の量を増やすことにより、相対的に重質液体炭化水素の量を減らすことができ、これによって外部型触媒分離器３４のフィルター５２を往復して繰り返し通過する液体炭化水素の量を少なくすることができる。一方、重質液体炭化水素の量を増やせば、この重質液体炭化水素は外部型触媒分離器３４内においても液状であるため、混合液からなる逆洗液の洗浄機能（逆洗機能）を高めることができる。
【００８３】
また、このような逆洗液を用いた逆洗処理（逆洗工程）については、前記第１実施形態と同様にして行われる。すなわち、逆洗液槽３８から第２配管４４に導出された逆洗液（混合液）を、図３（ａ）に示す第３導管５７を介してフィルターエレメント５３群に流通させることで逆洗処理を行う。これにより、濾過媒体５３ｂに堆積した触媒粒子は濾過媒体５３ｂから除去され、逆洗液に同伴されて返送管３４ｂを経て、逆洗液とともに反応器３０内のスラリー床中に戻される。
【００８４】
外部型触媒分離器３４内に導入された逆洗液中の軽質液体炭化水素は、前述したように反応器本体８０内の条件において気体状である炭化水素であるため、外部型触媒分離器３４内に導入されることで加熱され、気化を開始する。しかし、逆洗液として用いている軽質液体炭化水素は、第１ドラム８４で気液分離した比較的高沸点の炭化水素であり、更に再冷却部９４で再冷却している（再冷却工程）ことで充分に冷熱が付与されているため、外部型触媒分離器３４内に導入されてもしばらくは液体の状態に維持される。したがって、フィルター５２を逆洗処理する間は液体の状態にあることで逆洗液としての機能を充分に発揮し、重質液体炭化水素とともに濾過媒体５３ｂに堆積した触媒粒子を濾過媒体５３ｂから良好に除去する。
【００８５】
逆洗液とともに反応器３０内のスラリー床中に返送された触媒粒子は、スラリー床中にて他の触媒粒子とともにスラリーを形成する。また、逆洗液中の重質液体炭化水素は、濾過処理の際に他の重質液体炭化水素とともに再度外部型触媒分離器３４に導入され、フィルター５２を流通する。
一方、逆洗液中の軽質液体炭化水素は、反応器本体８０内にて気体となり、反応器本体８０の気相部から抜き出され、気液分離装置３６に送られる。
【００８６】
したがって、本実施形態の炭化水素の製造方法によれば、逆洗工程（逆洗処理）においてフィルター５２に流通させる液体炭化水素として、反応器本体８０の気相部から抜き出された軽質液体炭化水素を用いているので、フィルター５２を往復して繰り返し通過する液体炭化水素（重質液体炭化水素）の量を少なくすることができる。すなわち、軽質液体炭化水素は逆洗工程で反応器３０内に返送されても、その後は反応器３０内で気化してフィルター５２を流通することなく反応器３０の気相部から抜き出されるため、スラリーの一部となってフィルター５２を流通しない。よって、フィルター５２を往復して繰り返し通過する液体炭化水素の量を少なくすることができるため、フィルター５２によって単位時間あたりに濾過されるスラリーの量を少なくすることによってフィルター５２の負荷を軽減することができ、これによって濾過面積の低減化を可能にし、製造設備の小型化や簡易化を図ることができる。
【００８７】
また、逆洗液として軽質液体炭化水素と反応器３０から抜き出された重質液体炭化水素との混合物（混合油）を用いているので、特に重質液体炭化水素が逆洗時に気化せずしたがって逆洗液として高い機能を有していることにより、フィルター５２を良好に洗浄することができる。
【００８８】
また、上記第２実施形態においては、反応器本体８０から外部型触媒分離器３６内のフィルター５２による濾過により抜き出された重質液体炭化水素を、濾過装置４６で再度濾過し、該重質液体炭化水素が含有する微粉化した触媒粒子の少なくとも一部を更に除去しているので、この重質液体炭化水素を逆洗液の一部としてフィルター５２に流通させた際、該逆洗液中に含まれる触媒粒子によりフィルター５２を濾過時とは逆の方向から目詰まりさせるおそれを回避することができる。
【００８９】
なお、前記実施形態では、スラリーを濾過するフィルター５２を外部型触媒分離器３４の分離槽５０内に配置したＦＴ合成ユニット５を用いて、本発明の製造方法を実施するようにしたが、本発明はこれに限定されることなく、図４に示すように反応器３０内にフィルター５２を配置する、内部型の触媒分離機構を設けたＦＴ合成ユニット１００を用いて炭化水素を製造するようにしてもよい。
【００９０】
図４に示すＦＴ合成ユニット１００において、図２に示したＦＴ合成ユニット５と異なるところは、外部型触媒分離器３４に代えて、反応器３０内にフィルター５２を設け、反応器３０に内部型の触媒分離機構を形成している点である。この触媒分離機構は、図２に示した外部型触媒分離器３４の分離槽５０内に設けられてフィルター５２を主とする構成と同様の構成からなり、図３（ａ）、（ｂ）に示したようなフィルターエレメント５３や第１導管５４、第２導管５５、第３導管５７、弁５６、弁５８等を備えている。
【００９１】
このような内部型の触媒分離機構を形成した反応器３０を備えるＦＴ合成ユニット１００を用いても、図２に示した外部型触媒分離器３４を用いた反応器３０を備えるＦＴ合成ユニット１００を用いた場合と同様に、逆洗液としてフィルター５２を往復して繰り返し通過する重質液体炭化水素をなくすことができる、またはその量を少なくすることができる。したがって、フィルター５２の負荷を軽減することができ、これによって濾過面積を低減することが可能になり、製造設備の小型化や簡易化を図ることができる。
【００９２】
なお、本発明の製造方法を実施するＦＴ合成ユニットとしては、触媒分離機構として外部型と内部型とを併用したものを用いることもできる。すなわち、図２に示した外部型触媒分離器３４を備えるとともに、図４に示したように反応器３０内にフィルター５２を備えた構成のＦＴ合成ユニットを用いて、本発明の製造方法を実施してもよい。
【００９３】
さらに、本発明では、反応器３０から抜き出した濾過処理後の重質液体炭化水素について、該重質液体炭化水素が含有する微粉化した触媒粒子の少なくとも一部を更に除去することなく、そのまま逆洗液槽３８又は第１精留塔４０に供するようにしてもよい。
また、前記実施形態では、フィルター５２の一部のフィルターエレメント５３群で濾過を行うと同時に、他のフィルターエレメント５３群で逆洗を行うようにし、したがって濾過工程と逆洗工程とを同時に並行して行うようにしたが、濾過工程と逆洗工程とを同時に行うことなく交互に行うようにしてもよい。
【００９４】
さらに、前記実施形態においては、液体燃料合成システム１に供給される炭化水素原料に天然ガスを用いたが、例えば、アスファルト、残油など、その他の炭化水素原料を用いてもよい。
また、前記実施形態においては、液体燃料合成システム１を用いて本発明の製造方法を実施する形態について述べたが、本発明は少なくとも水素ガス及び一酸化炭素ガスを主成分とする合成ガスと触媒粒子を含むスラリーとの接触によって炭化水素を合成する、炭化水素の製造方法に適用されるものである。
【００９５】
以上、本発明の実施形態について図面を参照して詳述したが、具体的な構成はこの実施形態に限られるものではなく、本発明の要旨を逸脱しない範囲の設計変更等も含まれる。
【符号の説明】
【００９６】
１…液体燃料合成システム、５…ＦＴ合成ユニット、３０…気泡塔型スラリー床反応器（反応器）、３４…外部型触媒分離器、３６…気液分離装置、３８…逆洗液槽、４０…第１精留塔、５２…フィルター、４６…濾過装置、８２…抜出管、８３…熱交換部、９０…第１導出管、９４…再冷却部
【図１】
0005889539.tif 000002
【図２】
0005889539.tif 000003
【図３】
0005889539.tif 000004
【図４】
0005889539.tif 000005